(57)【特許請求の範囲】
【請求項１】
弁座傾斜部の先端部に設けたリング状の窪部へＯ‐リングを埋蔵し、外気流入防止弁の内壁傾斜部に弁座傾斜部がスプリングの荷重による弁圧により密着すると同時に上記弁座のＯ-  リングもともに外気流入防止弁の内壁傾斜部入口部に密接状態にて圧着するように構成してなるゆえ、流入一次側の水道水から次亜塩素酸が除去された切り替えコックの浄水の出口もしくは、二次側経路の途中に遮断弁を設け、吐水時には上記弁圧に抗して吐水でき、通水を止めた時には上記弁圧により弁座の傾斜部とＯ‐リングとが外気流入防止弁の内壁傾斜部に完璧に密着して空気中の浮遊菌が浄水出口から侵入して、二次経路また、浄水器本体内部の二次側に浮遊菌の増殖を皆無に防止できたことを特徴とする浄水器の出口外気遮断弁。
【請求項２】
スプリングにより弁圧を得る遮断弁であることを特徴とする請求項１記載の浄水器の出口外気遮断弁。
【請求項３】
水道原水および浄水出口に２連ホースを接続する切り替えコックの浄水出口側に設け、未使用時に空気中の浮遊菌の流入を防止出来ることを特徴とした請求項１および２記載の浄水器の出口外気遮断弁。
【請求項４】
浄水器本体の浄水吐水口出口に設け、使用しない時に空気中の浮遊菌の流入を防止できることを特徴とした請求項１および２記載の浄水器の出口外気遮断弁。
【請求項５】
アンダーシンク型浄水器の専用水栓、通常水栓に浄水器用の機能を合わせた複合水栓などの出口に設け、未使用時に空気中の浮遊菌の流入を防止できることを特徴とした請求項１および２記載の浄水器の出口外気遮断弁。
【発明の詳細な説明】
【０００１】
【発明の属する技術分野】
本発明は、通常、湯、水の浄水器に使用し、塩素が除去された浄水が滞留もしくは通過する二次側に設置し、空気および浮遊菌の侵入を防止する外気遮断弁に関するものである。
【０００２】
【従来の技術】
従来の浄水器で、使用時にのみ給水圧を掛けるタイプでは、活性炭層後に設置される雑菌ろ過のフィルター以降は、吐水時以外は外気開放となっており、使用されていない時には、外気中の浮遊菌が侵入、浄水中に含まれる糖分、蛋白を栄養源に膨大に増殖する。
【０００３】
【発明が解決しようとする課題】
しかしながら、雑菌と称せられる浮遊菌はカビの類、植物および動物などであって、特に病原菌を指すことは少ない。したがって、通常の発症数以上に増殖したものを経口摂取しても、問題とならないケースが大半であるが、時として、レジオネラ、クリプトスポリジューム、ジアルディアなどの原虫、病原性大腸菌、アミーバなど各種の有害なものが浮遊することも指摘される。
通常、浄水器において浮遊菌の侵入口は、原水、浄水の切り替えコック、浄水器用の各種水栓、吐水口であるが、これまで、浮遊菌、原虫などの侵入を積極的に防止するものはなかった。
【０００４】
【課題を解決するための手段】
そこで、本発明は、浄水器の吐水口、浄水器用水栓出口、切り替えコックまたシャワーなどの浄水出口、あるいはホースなどの浄水経路にスプリングを用いて弁座に押し当て、吐水時はスプリング圧に抗して吐水でき、吐水をしない時には、可動弁が弁座に密着し、空気および浮遊しているゴミ、菌、カビおよび原虫などの流入を遮断、カルキがなくなった浄水中、あるいは、湿潤な構成部材の壁面に付着、水中あるいは空気中の糖分、タンパクなどを栄養源に増殖する機会を根本的に対処することができる浄水器の出口外気遮断弁を提供するものである。
【０００５】
（作用）
即ち、据置き型浄水器、アンダーシンク型浄水器、風呂用浄水器、塩素除去シャワーなどの浄水出口あるいは、浄水経路に大気の逆流を遮断する弁体を設置、弁座との密着を計るため、軽荷重のスプリングを弁体に付属させ、浄水の吐水時には、スプリング荷重に抗して吐水出口、吐水していない常時には、弁座とゴムなどによる軟質のＯ−リング、パッキンをスプリング荷重にて密着させ、外気の流入をさせず、大気中の生物が侵入し、湿潤な環境下で増殖することを防止できることを特徴として構成したことを要旨とする。
【０００６】
【実施例】
本発明による浄水器の出口外気遮断弁の実施例を模式断面図により説明する。図１は、本実施例の往復２連のホースを装着する浄水器の切り換えコックであり、水栓の出口に設置して、原水、浄水の切り換えを行うものの内部構造を示すものであるが、本実施例では、浄水の出口に設置された外気遮断弁１は、外気流入防止弁２を内装しており、外気流入防止弁２には、弁体３をスプリング４で懸架しており、入口５からの浄水が流入する時には、スプリング４の荷重に抗して弁体３が移動、Ｏ‐リング６と弁座７が離れ、浄水出口８に流入する。吐水していない時には、弁体３は、スプリング４により弁座７に押付けられ、気密を保持、浮遊菌が混在する外気と浄水あるいは内壁に付着した水分と接触することをして防止している。外気遮断弁１は切り替えコック本体の浄水出口側ホースニップル９にねじ込まれ装着されている。
さらに詳しく述べると、図１に示すように、本発明は、弁座７の端部を傾斜状に切欠して傾斜部を形成しており、該傾斜部の先端部にＯ‐リング６を収容するリング状の窪部を設けたゆえ、Ｏ‐リング６は上記リング状の窪部に強固に埋蔵されている。したがって、弁座７が外気流入防止弁２の内壁傾斜部に接触して弁孔を閉じているときには弁座７の傾斜部が外気流入防止弁２の内壁傾斜部に密着するとＯ‐リング６も同時に外気流入防止弁２の内壁傾斜部の入口部に密接状態にて圧着されている。
【０００７】
外気遮断の方法の実際について図１により説明する。
水栓取り付けネジ１０により図示していない水栓に設置された切り替え本体８では、切り替え弁１１は、図中、浄水選択側にあり、図示していない浄水器側に原水の水道水を送りこんでおり、浄水は、浄水出口側ホースニップル９、排水口１２、吐水口１３を経由使用に供せられる。
【０００８】
使用下では、吐水口１３は浄水の流れにより塞がれているため、外気から浮遊菌の侵入はないものとすることが出来るが、使用していない時には、切り替え弁１１が原水通路１４側を開口し、浄水器と切り替えコック本体とを接続する浄水側ホース１５内部と外気とは連通しており、外気と接触自在となっているため、ゴミ、浮遊菌、カビ胞子などの侵入を防止し得ず、特に夏場夜間使用していない時には、途方もない数に増殖、滞留水のみならず内壁に膜、層をなすことも経験されている。
【０００９】
次亜塩素酸が入る原水系には、菌の存在はないとしても差し支えないと言える。
【００１０】
図２のアンダーシンク型浄水器の取り合い図においては、外気遮断弁は専用水栓１６の吐水部１７に設置する。
【００１１】
【発明の効果】
上述のように、本発明による時には、浄水器の浄水出口に外気逆流防止を計る遮断弁を設けることにより、外気中に存在するカビ胞子、雑菌、病原菌の侵入を抑え、湿潤な環境下で増殖することを防止できる実益を有する。
本発明は、弁座傾斜部の先端部に設けたリング状の窪部中へＯ‐リングを埋蔵したゆえ、吐水時に浄水の水圧によって外気流入弁の内壁傾斜部から弁座が離れるときにＯ‐リングが弁座から剥がれたり、脱離することが全くない。
また、吐水時以外の場合には弁座傾斜部の先端に埋蔵したＯ−リングが外気流入防止弁の内壁傾斜部の入口部に密接状態に圧着されているから浄水出口側ホースニップル９から外気遮断弁１内へ浮遊菌、原虫の侵入を完璧に阻止することができる。
【図面の簡単な説明】
【図１】本発明の実施例を示す往復２連ホース用切り替えコックの模式断面図である。
【図２】本発明の実施例を示すアンダーシンク型浄水器用水栓への取り付け部を示すものである。
【符号の説明】
１  外気遮断弁
２  外気流入防止弁
３  弁体
４  スプリング
５  入口
６  Ｏ−リング
７  弁座
８  出口
９  浄水出口側ホースニップル
10  水栓取り付けネジ
11  切り換え弁
12  排出口
13  吐水口
14  通路
15  浄水側ホース
16  水栓
17  吐水部
【図１】
0003763327.tif 000002
【図２】
0003763327.tif 000003